【手続補正書】
【提出日】平成16年4月23日(2004.4.23)
【手続補正１】
【補正対象書類名】明細書
【補正対象項目名】全文
【補正方法】変更
【補正の内容】
【発明の名称】パチンコ遊技機
【特許請求の範囲】
【請求項１】パチンコ遊技機本体と、該パチンコ遊技機本体の正面右側下部に設けられる遊技球発射レバーと、該パチンコ遊技機本体の正面側であって該遊技球発射レバーの左方側に設けられる下部受け皿と、を有するパチンコ遊技機であって、
該下部受け皿は、上記パチンコ遊技機本体に対して固定されている右側受け皿部と、該パチンコ遊技機本体から脱着可能な左側受け皿部とからなり、該右側受け皿部と該左側受け皿部は、一体となって遊技球収容用凹部を構成し、該遊技球収容用凹部の左側には灰皿が設けられておらず、該遊技球収容用凹部は、その左端が上記パチンコ遊技機本体の略左端に位置するものであり、
更に上記左側受け皿部に代えて灰皿部を取着することが可能であって、該灰皿部は、上記パチンコ遊技機本体に取り付けられる灰皿部本体と、該灰皿部本体の上面に設けられる灰皿用凹部と、を備え、上記パチンコ遊技機本体に取着された場合には、上記右側受け皿部とともに上記遊技球収容用凹部よりも小さい遊技球収容用小凹部を構成することを特徴とするパチンコ遊技機。
【発明の詳細な説明】
【０００１】
【発明の属する技術分野】
本発明はパチンコ遊技機に関する。更に詳しく言えば、下部受け皿の賞球の収容量を大きく取ることができるパチンコ遊技機に関する。
【０００２】
【従来の技術】
従来のパチンコ遊技機においては、その正面最下段に下部受け皿が設けられており、その下部受け皿の右方には遊技球発射レバーが、左方には灰皿が設けられている。この下部受け皿は、その上面に設けられている遊技球収容用凹部に賞球を収容するものである。
しかし、下部受け皿及びその上方に設けられている上部受け皿をもってしても、大当たり時には、払い出されるすべての賞球を収容しきれるものではない。このため、遊技者は、大当たり時には下部受け皿の下方に玉箱を配置して、下部受け皿が満杯になる前に適宜この玉箱に下部受け皿内の賞球を排出する。
【０００３】
ここで、玉箱の配置及び玉箱への賞球の排出が遅れると、下部受け皿の遊技球収容用凹部が賞球で満たされ飽和状態となり、その後、賞球を受ける下部受け皿及び上部受け皿に通じる賞球排出路が賞球で満たされる。そして、これをパチンコ遊技機が検出すると、賞球の払出が停止されることとなる。又、同時に遊技盤内への遊技球の発射も強制的に停止される。これにより、いわゆる「パンク」等の状態が発生する可能性が出てくる。
その後、下部受け皿の飽和状態を解消すれば賞球の払出は再開され、遊技球の発射も可能となるが、その間にもパチンコ遊技機側の遊技状態は停止することなく進行するため、下部受け皿の飽和状態の解消に遊技に支障をきたすほどの時間がかかると、遊技者は遊技により獲得できたはずの賞球を獲得できないこととなる。
【０００４】
ところが、一方で、パチンコ遊技機の下部受け皿の下には常に玉箱が置かれているとは限らず、パチンコホールによっては、大当たりとなってから玉箱を設置するところもある。このため、そのようなパチンコホールにおいては、玉箱の設置及び遊技球の排出が間に合わないことがある。
よって、上記のような賞球の払出停止ひいては賞球の損失を招く可能性を低くするためには、玉箱の配置及び下部受け皿から玉箱への賞球の排出のために十分な時間を確保することができるように、下部受け皿に十分な収容量を確保しておくことが望ましい。
【０００５】
【発明が解決しようとする課題】
しかし、上述の通り、下部受け皿の右方には遊技球発射レバーが、左方には灰皿が設けられており、一方、上方には上部受け皿が設けられており、下方には上記玉箱を設置するスペースを確保する必要がある。このため、下部受け皿を拡大する余地は少ない。
【０００６】
ここで、左右方向の下部受け皿の拡大の余地を限定している遊技球発射レバーと灰皿のうち、遊技球発射レバーはパチンコ遊技機に必須のものであるが、灰皿は必須のものではなく、また、喫煙をしない遊技者にとってはもとより必要がないものである。そして、パチンコ島のテーブルに灰皿を設けている場合には、喫煙者にとっても不要なものとなる。
【０００７】
本発明は、上記観点に鑑みてなされたものであり、パチンコ遊技機から灰皿をなくすことにより、従来に比べて大容量の下部受け皿を確保することができるとともに、パチンコ遊技機設置後にも灰皿を有する態様と大容量の下部受け皿を有する態様とを選択できるようなパチンコ遊技機を提供することを目的とする。
【０００８】
【課題を解決するための手段】
請求項１に係るパチンコ遊技機は、パチンコ遊技機本体と、パチンコ遊技機本体の正面右側下部に設けられる遊技球発射レバーと、パチンコ遊技機本体の正面側であって遊技球発射レバーの左方側に設けられる下部受け皿と、を有するパチンコ遊技機である。
そして、下部受け皿は、上記パチンコ遊技機本体に対して固定されている右側受け皿部と、パチンコ遊技機本体から脱着可能な左側受け皿部とからなり、右側受け皿部と左側受け皿部は、一体となって遊技球収容用凹部を構成する。遊技球収容用凹部の左側には灰皿が設けられておらず、遊技球収容用凹部は、その左端が上記パチンコ遊技機本体の略左端に位置するものである。
更に、請求項１に係るパチンコ遊技機は、上記左側受け皿部に代えて灰皿部を取着することが可能である。灰皿部は、上記パチンコ遊技機本体に取り付けられる灰皿部本体と、灰皿部本体の上面に設けられる灰皿用凹部と、を備え、上記パチンコ遊技機本体に取着された場合には、上記右側受け皿部とともに上記遊技球収容用凹部よりも小さい遊技球収容用小凹部を構成する。
【０００９】
ここで、「遊技球収容用凹部」とは、パチンコ遊技機から払い出された遊技球を受ける容器部である。また、「右」及び「左」とは、遊技者がパチンコ遊技機に向かい合ったときの「右」及び「左」である。そして、「遊技球発射レバーの左方側」に設けられる下部受け皿については、その構成の一部が遊技球発射レバーの上方にかかっている場合も含むものである。
【００１０】
【００１１】
【００１２】
【発明の実施の形態】
以下、本発明のパチンコ遊技機を実施例により詳細に説明する。
図１はパチンコ遊技機の下部受け皿の平面図、図２はパチンコ遊技機の正面図、図３はパチンコ遊技機の裏面図、図４はパチンコ遊技機の下部受け皿の平面図、図５はパチンコ遊技機の下部受け皿の平面図である。
そして、図６は従来のパチンコ遊技機の下部受け皿の平面図、図７は従来のパチンコ遊技機の正面図である。
【００１３】
〔実施例１〕
（１）パチンコ遊技機の構成及び作用
本パチンコ遊技機は、図２に示すように、正面側に遊技盤１と、上部受け皿２と、下部受け皿３と、遊技球発射レバー４１と、を備えており、全体の高さが約８１０ｍｍ、幅が約５３０ｍｍである。遊技盤１は、パチンコ遊技機の正面中央の上方よりに設けられており、その遊技盤１の下方には上部受け皿２が、更にその下方に下部受け皿３が設けられている。下部受け皿３の右方には遊技盤１内に遊技球を発射するための遊技球発射レバー４１が設けられている。
【００１４】
遊技盤１は、図２に示すように、パチンコ遊技機の正面中央の上方よりに設けられており、入賞口や釘、風車、アウト口等を備えている。この遊技盤１内に上方より遊技球が落下されて、入賞口に入賞して賞球が払い出され又はアウト口に入りファールとなる等の遊技が行われる。
その遊技盤１の下方に設けられている上部受け皿２は、パチンコ遊技機内部に設けられた遊技球発射装置４（図３参照）に供給する遊技球を貯蔵するための受け皿である。
【００１５】
そして、上部受け皿２の下方に設けられている下部受け皿３は、図２に示すように、その左端がパチンコ遊技機本体の左端から３０〜７０ｍｍの場所に位置するように設けられており、図１に示すように、その上面側全体にわたって下皿凹部３１が設けられている。この下皿凹部３１は、上部受け皿２に入りきらなくなった遊技球を貯蔵するためのものである。
そして、この下皿凹部３１は、下部受け皿３の上面全体に設けられている結果、その左端がパチンコ遊技機本体の左端から５０〜９０ｍｍの場所に位置するものである。
【００１６】
ここで、図１，２，６及び７を用いて、本実施例のパチンコ遊技機の下皿凹部３１を、従来のパチンコ遊技機の下皿凹部３１ｐと比較して説明する。
図６及び７に示すように、従来のパチンコ遊技機は、下皿凹部３１ｐの左方に灰皿９１ｐを備えている。このため、従来の下皿凹部３１ｐは本実施例の下皿凹部３１に比べて横幅が狭くなっている。
【００１７】
これに対して本実施例のパチンコ遊技機においては、図１及び２に示すように、下皿凹部３１の左方に灰皿等が設けられていないため、その空間を有効に使用して下皿凹部３１が設けられている。即ち、下部受け皿３の下皿凹部３１は、従来の下皿凹部３１ｐに比べて横幅が広く設けられており、同様な条件下でより多くの賞球を収容することができるものである。
【００１８】
また、この下部受け皿３には、図１及び２に示すように、その中央前面に下部受け皿玉抜きレバー３２が設けられている。この下部受け皿玉抜きレバー３２を左方向に操作することで、下皿凹部３１の底部に設けられた玉抜き口３１１のスライド式扉が開き、下皿凹部３１内の遊技球はこの玉抜き口３１１を通じて下部受け皿３下方に配置された玉箱（図示せず）に排出される。遊技者は、下部受け皿３が飽和状態に近づいた場合には、適宜、下部受け皿玉抜きレバー３２を操作して、遊技球を玉箱に排出する。
【００１９】
また、図２に示すように下部受け皿３の右方に設けられる遊技球発射レバー４１は、パチンコ遊技機内部に設けられる遊技球発射装置４（図３参照）の一部であり、遊技者がこの遊技球発射レバー４１を操作することで、遊技球発射装置４によって上部受け皿２内の遊技球が遊技盤１内に発射され、パチンコ遊技が行われる。
【００２０】
一方、図３に示すように、本実施例のパチンコ遊技機はその裏面に、賞球タンク５と、賞球樋６と、賞球払出ユニット７と、賞球払出通路８と、を備えている。
賞球タンク５は、パチンコ遊技機上部に設けられており、賞球として払い出す遊技球を貯蔵し、賞球樋６は、賞球タンク５内の遊技球を賞球払出ユニット７に送る。賞球払出ユニット７は、遊技盤１の入賞口に遊技球が入賞し、又は大入賞口に入賞して大当たりになる等すると、賞球を払い出す。その賞球は賞球払出通路８を通って、上述の上部受け皿２及び下部受け皿３（下皿凹部３１）に払い出される。
【００２１】
ここで、賞球払出通路８と、上部受け皿２、下部受け皿３の関係を説明すると、まず、賞球払出通路８の末端は下部受け皿３の下皿凹部３１に接続されている。そして、その末端よりも３０〜５０ｍｍ上流において上部受け皿２に接続されている。従って、賞球払出通路８内を流れる遊技球は、まず優先的に上流に接続されている上部受け皿２に払い出され、上部受け皿２が飽和状態となりそれ以上遊技球を受け入れられなくなったときに、下部受け皿３の下皿凹部３１に払い出される。
【００２２】
（２）パチンコ遊技機の動作
遊技盤１内において入賞口や大入賞口に遊技球が入賞すると、賞球払出ユニット７が賞球払出通路８を通じて賞球を払い出す。その際、上述したように、賞球はまず上部受け皿２に払い出される。そして、上部受け皿２が飽和状態となりそれ以上遊技球を受け入れられなくなったときに、賞球は下部受け皿３の下皿凹部３１に払い出される。
【００２３】
ここで、遊技者が下部受け皿３の下皿凹部３１から玉抜き穴３１１を通じて適宜玉箱へ遊技球を排出する場合には、下部受け皿３が飽和状態となることはない。しかし、玉箱への遊技球の排出等が行われない場合には、下部受け皿３も飽和状態となり、遊技球は、賞球払出通路８内においてその末端から順に上流に向かって貯蔵されていく。
その後、遊技球が賞球払出通路８内の満タンセンサ（図示せず）が設置されているところにまで達すると、満タンセンサを通じて主基板Ｃがこれを検知し、賞球払出ユニット７からの賞球払い出しを停止させる。そして、遊技盤内への遊技球の発射も強制的に停止させる。これにより、いわゆる「パンク」等の状態が発生する可能性が出てくる。
【００２４】
しかしその後、玉箱への遊技球の排出等を行うことにより下部受け皿３の飽和状態が解消され、下部受け皿３の下皿凹部３１に遊技球が払い出されて賞球払出通路８内に貯蔵されている遊技球が減少し、満タンセンサが遊技球を検知しなくなった場合には、主基板Ｃは、遊技状態に応じた賞球払出ユニット７からの賞球払い出しを再開させ、遊技盤内への遊技球の発射も可能となる。ただし、賞球の払出等が停止している間にもパチンコ遊技機側の遊技状態は進行するため、下部受け皿の飽和状態の解消に遊技に支障をきたすほどの時間がかかると、遊技者はパチンコ遊技により獲得できるはずの賞球を獲得できないこととなる。
【００２５】
（３）パチンコ遊技機の効果
本実施例のパチンコ遊技機においては、従来のパチンコ遊技機に比べて横幅が広く収容量が多い下皿凹部３１を備えているため、同程度のペースで大当たりの賞球が払い出された場合にも、下部受け皿３が飽和状態になるまでにより長い時間がかかる。
よって、大当たりとなってから、下部受け皿３が飽和状態となって賞球払出通路８内に賞球が蓄積され、賞球の払出が停止され遊技球が発射できなくなるまでの「時間が長くなり、遊技者は余裕を持って下部受け皿３の下に玉箱を用意し、下皿凹部３１内の賞球を玉箱へ排出することができる。
【００２６】
又、従来のものに比べて賞球払出等が停止されるまでの時間が長くなっているため、玉箱への賞球の排出が間に合わず賞球払い出しが停止してしまった場合にも、玉箱に賞球を排出し賞球の払出及び遊技球の発射を再開させた際の、賞球払出等の停止の時間を短くすることができ、失う賞球数を少なくすることができる。
【００２７】
なお、本実施例のパチンコ遊技機において、下部受け皿３を下部受け皿ユニット３ａとしてパチンコ遊技機本体から取外し可能に設けておき、その下部受け皿ユニット３ａと交換可能でかつその左端部に灰皿を備えた下部受け皿ユニット３ｂを設けて、適宜下部受け皿ユニット３ａと下部受け皿ユニット３ｂとを交換して取着できるように設けることもできる。
【００２８】
図１に示した下部受け皿３が下部受け皿ユニット３ａに相当し、図６に示した下部受け皿３ｐと灰皿９１ｐの一体物が下部受け皿ユニット３ｂに相当する。これらのパチンコ遊技機本体への取付は、ネジ止めによるものであってもよいし、凹部と凸部の嵌合によるものであってもよい。
【００２９】
この態様のパチンコ遊技機においては、パチンコホール内に設置した後も、下部受け皿ユニット３ａ，３ｂを交換することにより、パチンコ遊技機自体を交換することなく、灰皿を備えるものとしたり、大きな下皿凹部を備えるものとしたりすることができる。
更に、この態様のパチンコ遊技機は、パチンコホール内に設置した同型の任意のパチンコ遊技機について、下部受け皿ユニット３ａと下部受け皿ユニット３ｂを交換することにより、灰皿を備えるパチンコ遊技機と、大きな下皿凹部を備えるパチンコ遊技機のホール内での配置を変更することができる。
【００３０】
〔実施例２〕
（１）パチンコ遊技機の構成
本実施例のパチンコ遊技機は、実施例１のパチンコ遊技機とほぼ同様であるが、図４及び５に示すように、下部受け皿の左部分のみを受け皿拡張ユニット３４として、パチンコ遊技機本体に固定的に設けられた下部受け皿基本部３３から取外し可能に設けておき、その受け皿拡張ユニット３４と交換設置可能な灰皿ユニット９を設けて、適宜受け皿拡張ユニット３４と灰皿ユニット９とを交換して設置し使用するものである。
【００３１】
この灰皿ユニット９は、図５に示すように灰皿９１と下皿凹部左壁９２とを備えており、下皿凹部左壁９２は下部受け皿基本部３３の右方及び前方を覆う外周壁部３５とともに下皿小凹部３１ｓの外周壁を構成する。
【００３２】
（２）パチンコ遊技機の効果
本実施例のパチンコ遊技機においては、受け皿拡張ユニット３４を装着した場合には、下皿凹部３１が拡張され、実施例１のパチンコ機と同様の効果を期待することができる。また、灰皿ユニット９を装着した場合には、容量は小さくなるものの下皿凹部左壁９２が下部受け皿基本部３３とともに構成する下皿小凹部３１ｓを備え、同時に灰皿９１をも備えるパチンコ遊技機となる。よって、島設備に灰皿を有しないパチンコホールにおいては、喫煙者のためにパチンコ遊技機に灰皿を備え付けてそのニーズに対応することもできる。
【００３３】
そして、本実施例のパチンコ遊技機は、パチンコホール内に設置した同型の任意のパチンコ遊技機について、灰皿ユニット９と受け皿拡張ユニット３４を交換することにより、灰皿を備えるものと、大きな下皿凹部３１を備えるものとの配置を変更することができる。
その上、下部受け皿全体を交換する場合に比べて交換するユニットが小さいため、使用しないユニットの保管に要するスペースが小さくてすみ、材料も少なくてすむため資源の節約となる。
【００３４】
尚、本発明は、上記具体的な実施例に示すものに限らず、目的、用途に応じて本発明の範囲内で種々変更した別の実施の形態をとることができる。
即ち、下皿凹部は下部受け皿のほぼ全面に設けられており、下皿凹部の左方に灰皿を備えておらず、その下皿凹部の左端がパチンコ遊技機本体の左端から、パチンコ遊技機本体の全幅の２０％以内の位置であれば、どのようなものであってもよい。
【００３５】
【発明の効果】
請求項１記載のパチンコ遊技機は、下部受け皿の左側受け皿部が灰皿部と交換着脱が可能である。このため、左側受け皿部を取り付けた際には、左側受け皿部と右側受け皿部により大容量の遊技球収容用凹部を構成することができる。従って、従来のパチンコ遊技機において灰皿が設けられていた部分にまで遊技球収容用凹部が拡張して設けられることとなり、このため、遊技球収容用凹部が大きく、従来のものよりも多くの遊技球を収容することができる。
【００３６】
よって、パチンコ遊技機が大当たり状態になってから、払い出される賞球によって下部受け皿が飽和状態になるまでの時間が長く、受け皿の飽和による賞球の払出停止及び遊技球の発射停止となるまでの時間が長い。このため、遊技者はその間に余裕を持って玉箱を準備し、その玉箱に遊技球収容用凹部内の遊技球を排出することができ、遊技者が賞球の獲得を逃す可能性が低く、また、獲得できるはずの賞球を失ったとしてもその数を少なくすることができる。
【００３７】
また、灰皿部を取り付けた際には、右側受け皿部と灰皿部とにより容量の小さい遊技球収容用小凹部を構成し、同時に灰皿を備えることができる。よって、島設備に灰皿を有しないパチンコホールにおいては、灰皿部を取り付けることにより喫煙者の要求にも対応することができる。
【００３８】
更に、パチンコ遊技機を島設備に設置した後にも、左側受け皿部と灰皿部とを交換することにより、パチンコ遊技機を交換することなく、そのパチンコ遊技機を灰皿を有するものとしたり、大きな遊技球収容用凹部を有するものとしたりすることができる。そして、パチンコホール内で禁煙台の位置を変更したり、数を増減させたりする場合にも容易に対応することができる。
また、下部受け皿全体を交換するものではないため、交換するユニットが小さく、使用しないユニットの保管にも場所を取ることがない。また、ユニットの材料が少なくてすむので資源の節約となり、かつ、製造コストを低くすることもできる。
【図面の簡単な説明】
【図１】パチンコ遊技機の下部受け皿の平面図である。
【図２】パチンコ遊技機の正面図である。
【図３】パチンコ遊技機の裏面図である。
【図４】パチンコ遊技機の下部受け皿の平面図である。
【図５】パチンコ遊技機の下部受け皿の平面図である。
【図６】従来のパチンコ遊技機の下部受け皿の平面図である。
【図７】従来のパチンコ遊技機の正面図である。
【符号の説明】
１；遊技盤、２；上部受け皿、３；下部受け皿、３１；下皿凹部（遊技球収容用凹部）、３１ｓ；下皿小凹部（遊技球収容用小凹部）、３１１；玉抜き口、３２；下部受け皿玉抜きレバー、３３；下部受け皿基本部（右側受け皿部）、３４；受け皿拡張ユニット（左側受け皿部）、３５；外周壁部、４；遊技球発射装置、４１；遊技球発射レバー、９；灰皿ユニット（灰皿部）、９１；灰皿（灰皿用凹部）、９２；下皿凹部左壁。